(57)【要約】【課題】チューブ容器内のヘアカラー剤などを、無駄を少なく使用することを可能にするカップ容器を提供する。【解決手段】上面を開口したカップ部１３を備え、カップ部１３の上端部又は側部にチューブ容器７０のノズル部７３を挿通するためにカップ部１３を貫通した挿通部（溝部１５）を少なくとも１つ有するカップ容器１０。【選択図】図２
2015134158.tif 000002
【特許請求の範囲】
【請求項１】
上面を開口したカップ部を備え、
前記カップ部の上端部又は側部にチューブ容器のノズル部を挿通させるために前記カップ部を貫通した挿通部を少なくとも１つ有するカップ容器。
【請求項２】
前記カップ部の上端部の少なくとも一部分に、上方に突出した突出部を有し、
前記突出部に前記挿通部を有する請求項１に記載のカップ容器。
【請求項３】
前記挿通部の底部における内壁面は、前記カップ部の外側から内側に向けて下方に傾斜している請求項１又は２に記載のカップ容器。
【請求項４】
前記カップ部は、前記挿通部の周辺部において、前記カップ部の外側面が前記挿通部の縁部に向けて窪む凹部を有する請求項１〜３のいずれか１項に記載のカップ容器。
【請求項５】
前記カップ部は、前記挿通部の内壁面において、突起部を有する請求項１〜４のいずれか１項に記載のカップ容器。
【請求項６】
前記カップ部の外側面において前記挿通部の下方で外側方向に拡がり、前記挿通部に前記ノズル部を挿通した前記チューブ容器を支持するための支持面を有する請求項１〜５のいずれか１項に記載のカップ容器。
【請求項７】
前記挿通部は、前記カップ部の上端部側から下方に向けて前記挿通部の幅を連続的または断続的に狭める請求項１〜６のいずれか１項に記載カップ容器。
【請求項８】
前記挿通部は、前記カップ部の高さの２分の１以上の高さの位置に設けられている請求項１〜７のいずれか１項に記載のカップ容器。
【発明の詳細な説明】
【技術分野】
【０００１】
本発明は、カップ容器に関する。例えば、チューブ容器に入ったヘアカラー剤を絞り出し、当該ヘアカラー剤を頭髪への塗布用に調整するためのヘアカラー剤用カップ容器として用い得るカップ容器に関する。
【背景技術】
【０００２】
理容院や美容院では、毛髪を染める際に、ヘアカラー剤をチューブ容器からカップ容器に絞り出し、カップ容器内で所望の状態に調整することが行われている。ヘアカラー剤用のカップ容器に関しては、カップ容器内でのヘアカラー剤のハンドリングを高めるために種々の工夫が提案されている（例えば、特許文献１）。
【先行技術文献】
【特許文献】
【０００３】
【特許文献１】特許第４５００７６８号公報
【発明の概要】
【発明が解決しようとする課題】
【０００４】
ところが、従来のカップ容器では、チューブ容器の内容物（例えば、ヘアカラー剤）を、無駄を少なく絞り出して使用することが困難である。
【０００５】
上記の問題に鑑みて、本発明の目的は、チューブ容器の内容物を、無駄を少なく使用することを可能にするカップ容器を提供することにある。
【課題を解決するための手段】
【０００６】
本発明によれば、以下に示すカップ容器が提供される。
【０００７】
［１］  上面を開口したカップ部を備え、前記カップ部の上端部又は側部にチューブ容器のノズル部を挿通させるために前記カップ部を貫通した挿通部を少なくとも１つ有するカップ容器。
【０００８】
［２］  前記カップ部の上端部の少なくとも一部分に、上方に突出した突出部を有し、前記突出部に前記挿通部を有する［１］に記載のカップ容器。
【０００９】
［３］  前記挿通部の底部における内壁面は、前記カップ部の外側から内側に向けて下方に傾斜している［１］又は［２］に記載のカップ容器。
【００１０】
［４］  前記カップ部は、前記挿通部の周辺部において、前記カップ部の外側面が前記挿通部の縁部に向けて窪む凹部を有する［１］〜［３］のいずれかに記載のカップ容器。
【００１１】
［５］  前記カップ部は、前記挿通部の内壁面において、突起部を有する［１］〜［４］のいずれかに記載のカップ容器。
【００１２】
［６］  前記カップ部の外側面において前記挿通部の下方で外側方向に拡がり、前記挿通部に前記ノズル部を挿通した前記チューブ容器を支持するための支持面を有する［１］〜［５］のいずれかに記載のカップ容器。
【００１３】
［７］  前記挿通部は、前記カップ部の上端部側から下方に向けて前記挿通部の幅を連続的または断続的に狭める［１］〜［６］のいずれかに記載カップ容器。
【００１４】
［８］  前記挿通部は、前記カップ部の高さの２分の１以上の高さの位置に設けられている［１］〜［７］のいずれかに記載のカップ容器。
【発明の効果】
【００１５】
本発明によれば、チューブ容器のノズル部を溝部または穴部に挿入した状態でチューブ容器を絞ることにより、チューブ容器の内容物を、無駄を少なく絞り出すことが可能になる。
【図面の簡単な説明】
【００１６】
【図１】本発明の第１態様の一実施形態のカップ容器の模式的な斜視図である。
【図２】図１に示したカップ容器の一使用例を模式的に示す斜視図である。
【図３】図１中のＡ−Ａ’断面の一部の模式図である。
【図４】図１中のＢ−Ｂ’断面の一部の模式図である。
【図５】本発明の第１態様の他の実施形態のカップ容器の模式的な斜視図である。
【図６】図５中のＣ−Ｃ’断面の一部の模式図である。
【図７】図５中のＤ−Ｄ’断面の一部の模式図である。
【図８】本発明の第１態様の更に他の実施形態のカップ容器の模式的な断面の一部拡大図である。
【図９】本発明の第１態様の更に他の実施形態のカップ容器の模式的な断面の一部拡大図である。
【図１０】本発明の第２態様の一実施形態のカップ容器の模式的な斜視図である。
【図１１】図１０に示したカップ容器の一使用例を模式的に示す斜視図である。
【図１２】図１０中のＥ−Ｅ’断面の一部の模式図である。
【図１３】図１０中のＦ−Ｆ’断面の一部の模式図である。
【図１４】本発明の第２態様の他の実施形態のカップ容器の模式的な斜視図である。
【図１５】図１４中のＧ−Ｇ’断面の一部の模式図である。
【図１６】図１４中のＨ−Ｈ’断面の一部の模式図である。
【図１７】本発明の第２態様の更に他の実施形態のカップ容器の模式的な断面の一部拡大図である。
【図１８】本発明の第２態様の更に他の実施形態のカップ容器の模式的な断面の一部拡大図である。
【図１９】本発明の第１態様の更に他の実施形態のカップ容器の模式的な斜視図である。
【図２０】図１９に示したカップ容器を別の角度から見た際の模式的な斜視図である。
【図２１】図１９に示したカップ容器を別の角度から見た際の模式的な斜視図である。
【発明を実施するための形態】
【００１７】
以下、図面を参照しつつ本発明の実施の形態について説明する。本発明は、以下の実施形態に限定されるものではなく、本発明の範囲を逸脱しない限りにおいて、変更、修正、改良を加え得るものである。
【００１８】
本発明に係るカップ容器では、図１，２，１０，１１に示されるように、上面を開口したカップ部１３，４３を備え、当該カップ部１３，４３の上端部又は側部にチューブ容器のノズル部７３を挿通させるために、当該カップ部１３，４３を貫通した挿通部３を少なくとも１つ有するカップ容器１０，４０である。そして、上記「挿通部３」には、図１、１０に示されるように、溝部１５，穴部４５が含まれる。
【００１９】
以下では、「挿通部３」が溝部１５である場合のカップ容器１０（カップ容器の第１態様）、及び「挿通部３」が穴部４５である場合のカップ容器４０（カップ容器の第２態様）について、図を参照しながら説明する。
【００２０】
１．カップ容器の第１態様：
図１は、本発明の第１態様の一実施形態のカップ容器１０の模式的な斜視図である。カップ容器１０は、上面を開口したカップ部１３を備え、カップ部１３の上端部にチューブ容器のノズル部を挿通させるためにカップ部１３を貫通した溝部１５を少なくとも１つ有する。
【００２１】
図２は、カップ容器１０の一使用例を模式的に示す斜視図である。図示されているように、カップ容器１０を使用する際には、チューブ容器７０のノズル部７３を溝部１５に挿入した状態でチューブ容器７０を絞るとよい。チューブ容器７０の内容物（例えば、ヘアカラー剤）の残存量が少なくなると、当該内容物がチューブ容器７０のノズル部７３の根元部分７４にのみ溜まっている状態となる。当該根元部分７４に溜まっている内容物は、通常、絞り出しにくい。このような状態の場合でも、カップ容器１０によれば、チューブ容器７０のノズル部７３を溝部１５に挿入した状態でノズル部７３の根元部分７４を押すと、カップ部１３の外側面と根元部分７４とを圧着させて、根元部分７４に溜まっている内容物を絞り出すことが可能になる。すなわち、カップ容器１０によれば、チューブ容器７０の内容物を、無駄を少なく絞り出すことが可能になる。
【００２２】
チューブ容器の形状等は、特に限定されるものではないが、例えば、円筒形の中空の構造で、断面は円状、卵形、楕円形のものを挙げることができる。また、カップ容器の形状は、図１、１９に示されるように、有底の円筒形状であるものに限らず、カップ部の開口側方向から平面視した際に、カップ容器の形状が円形状、楕円形状、三角形状、矩形状等の形状であってもよい。なお、挿通部が穴部である場合にも、チューブ容器の形状等、及びカップ容器の形状等は同様である。
【００２３】
なお、本実施形態のカップ容器では、「カップ部を貫通した挿通部を少なくとも１つ有する」ものであるため、カップ部を貫通した挿通部（溝部、穴部）が１つであってもよいし、当該挿通部が２つであってもよいし、３つ以上であってもよい。ただし、複数のヘアカラー剤成分を調製する場合にも、２つのヘアカラー剤を調製する場合が多いことから、挿通部が２つ形成されることが好ましい。
【００２４】
例えば、図１９〜図２１に示されるカップ容器８０では、カップ部１３の上端部にチューブ容器のノズル部を挿通させるために、カップ部１３を貫通した挿通部３である溝部１５が２つ形成されている。このように溝部１５を２つ形成することで、２つのヘアカラー剤を調製して用いる場合に、それぞれのヘアカラー剤が入ったチューブ容器を、それぞれの溝部１５，１５に挿通して使用することができる。
【００２５】
カップ容器１０のように、溝部１５は、カップ部１３の上端部側から下方に向けて溝の幅を連続的または断続的に狭めることが好ましい。このように溝部１５が溝の幅を狭めている場合、チューブ容器７０のノズル部７３をカップ部１３の上端部側から溝部１５に嵌め込み易くなる。
【００２６】
溝部１５（挿通部３）は、カップ部１３の高さの２分の１以上の高さの位置に設けられているとよい。上述の位置に挿通部３が設けられている場合、チューブ容器７０を絞る作業が容易になる。なお、本明細書にいう「カップ部１３の高さ」とは、カップ容器１０を水平方向に拡がった平面に静置した時の、カップ容器１０を静置した当該平面からカップ部１３の最上端部までの高さを意味する。
【００２７】
例えば、図１９〜図２１に示されるように、カップ部１３の高さの２分の１以上の高さの位置に設けられた溝部１５を例示できる。
【００２８】
図３は、図１中のＡ−Ａ’断面の一部の模式図である。図４は、図１中のＢ−Ｂ’断面の一部の模式図である。図示されているように、溝部１５の底部２１における内壁面１９は、カップ部１３の外側から内側に向けて下方に傾斜しているとよい。上述のように溝部１５の底部２１における内壁面１９が下方に傾斜している場合、チューブ容器７０のノズル部７３を溝部１５に挿入した時にノズル部７３の先端が下方に向くので、ノズル部７３からカップ部１３の底部に向けてチューブ容器７０の内容物を絞り出すことが可能になる。例えば、チューブ容器７０の内容物が２剤型のヘアカラー剤の場合、ヘアカラー剤をカップ部１３の底部に向けて絞り出すことができると、カップ部１３の底部において第１剤および第２剤のそれぞれを所望の量ずつで混ぜ合わせ易くなる。
【００２９】
図５は、本発明の第１態様の他の実施形態のカップ容器３０の模式的な斜視図である。カップ容器３０は、カップ部１３の上端部の少なくとも一部分に、上方に突出した突出部１７を有し、突出部１７に溝部１５を有する。上述のように突出部１７に溝部１５を有する場合、突出部１７を手で摘まみながらチューブ容器７０の内容物を容易に絞り出すことが可能になる。
【００３０】
ここで、本実施形態のカップ容器では、「前記カップ部の上端部の少なくとも一部分に、上方に突出した突出部を有し」ていることから、上方に突出した突出部が、カップ部の上端部の少なくとも一部分に備えられていればよく、突出部は複数個所存在してもよい。
【００３１】
例えば、図１９〜図２１に示されるように、カップ容器の上端部に少なくとも一部分に、上方に突出した突出部１７，１７が２つ設けられているものであってもよい。当該突出部１７，１７は、カップ容器の側面からカップ容器を平面視すると、カップ容器の両端に分かれて存在する位置関係になるように形成されている（図２０参照）。このように、当該両端の、謂わば、相対する位置関係に１つずつ突出部が形成され、夫々の突出部に溝部１５，１５が形成されていることで、チューブ容器のノズル部をそれぞれの溝部１５，１５に挿通した状態にした際に、チューブ容器を含めて、カップ容器全体を安定して載置することができる。ただし、突出部１７，１７が相対する位置関係に１つずつ形成されずに、相対しない位置に２つ形成され、当該突出部に溝部１５，１５が形成されてもよい。安定的な載置という観点からは、相対する位置関係になるように形成されることが好ましいが、２剤型のヘアカラー剤を調製しやすい点から、相対する位置関係に１つずつ形成されない場合も好ましい。
【００３２】
さらに、図１９〜図２１に示されるカップ容器は、他の実施形態（例えば、図５，６などに示されるカップ容器）と同様に、突出部１７の壁厚がカップ部１３の他の部分の壁厚よりも厚く且つ突出部１７が外側または内側に向けて肥厚していることが好ましい。このようにすると、チューブ容器７０に大きな力を加えて内容物を絞り出し易くなるためである。
【００３３】
突出部１７を手で摘まみ易くなる観点から、突出部１７の各所の厚さは、１〜４０ｍｍの範囲内であることが好ましく、更に、５〜２０ｍｍの範囲内であることがより好ましい。
【００３４】
図６は、図５中のＣ−Ｃ’断面の一部の模式図である。図７は、図５中のＤ−Ｄ’断面の一部の模式図である。図示されているように、カップ部１３は、突出部１７を有する場合、突出部１７の壁厚がカップ部１３の他の部分の壁厚よりも厚く且つ突出部１７が外側または内側に向けて肥厚していることが好ましい。上述のように突出部１７が外側または内側に向けて肥厚している場合、チューブ容器７０に大きな力を加えて内容物を絞り出し易くなる。
【００３５】
また、図５〜図７、図１９〜図２１に示されているカップ容器３０、８０のように、カップ部１３は、溝部１５の周辺部において、カップ部１３の外側面が溝部１５の縁部２０に向けて窪む凹部２３を有することが好ましい。特に、凹部２３の形状は、チューブ容器７０のノズル部７３の根元部分７４のテーパー形状（図２を参照）と略相補的な関係となることがより好ましい。つまり、凹部２３の形状は、テーパー形状であることが好ましい。このような凹部２３を有する場合、凹部２３にノズル部７３の根元部分７４を圧着させて、溝部１５にノズル部７３を挿通させたチューブ容器７０の状態を安定させ易くなり、また、内容物を絞り出し易くなる。
【００３６】
凹部２３の形状については、凹部２３の横幅Ｌおよび凹部２３の縦幅Ｈが、外側から内側に向けて連続的または断続的に小さくなるような形状であることが好ましい（図６〜図９を参照）。このような形状の凹部２３である場合、チューブ容器７０のノズル部７３の根元部分７４と凹部２３の表面との接触面積が大きくなり、チューブ容器７０の内容物を絞り出し易くなる。本明細書にいう凹部２３の横幅Ｌとは、カップ容器３０を水平方向に拡がった平面に静置した時のカップ容器３０の水平方向に沿った断面において、対向する凹部２３の表面同士を水平方向に沿って結んだ線分の長さとして定義される（図６を参照）。例えば、図６，７，８，９では、凹部２３の横幅Ｌは、当該凹部の最も外側の位置を示しているため、当該凹部の最も外側の位置における凹部２３の横幅Ｌは、カップ容器３０を水平方向に拡がった平面に静置した時のカップ容器３０の水平方向に沿った断面において、対向する凹部２３の表面同士を水平方向に沿って結んだ線分の最大長さとなる。すなわち、当該凹部２３の最も外側の位置における凹部２３の横幅Ｌは、縁部２０における凹部２３の横幅Ｌよりも幅広となる。また、凹部２３の縦幅Ｈとは、カップ容器３０を水平方向に拡がった平面に静置した時のカップ容器３０の鉛直方向に沿った断面において、凹部２３の表面から溝部１５の縁部２０から延びる水平線までを鉛直方向に沿って結ぶ線分の長さとして定義される（図７を参照）。例えば、図７では、凹部２３の縦幅Ｈは、当該凹部の最も外側の位置を示しているため、当該凹部の最も外側の位置における凹部２３の縦幅Ｈは、カップ容器３０を水平方向に拡がった平面に静置した時のカップ容器３０の鉛直方向に沿った断面において、凹部２３の表面から溝部１５の縁部２０から延びる水平線までを鉛直方向に沿って結ぶ線分の最大長さとなる。すなわち、当該凹部２３の最も外側の位置における凹部２３の縦幅Ｈは、支持面２７における凹部２３の縦幅Ｈよりも低くなる。なお、図８および図９は、本発明の第１態様の更に他の実施形態のカップ容器３０ａ，３０ｂの模式的な断面の一部拡大図である。なお、図８および図９は、カップ容器３０ａ，３０ｂを水平方向に拡がった平面に静置した時のカップ容器３０ａ，３０ｂの水平方向に沿った断面の模式図に該当する。
【００３７】
また、カップ容器３０のように、カップ部１３は、溝部１５の内壁面１９に突起部２５を有することが好ましい（図６を参照）。通常のチューブ容器７０のノズル部７３には、キャップと螺合させるためのネジ溝が形成されている。溝部１５の内壁面１９に突起部２５を有する場合、突起部２５がノズル部７３のネジ溝に嵌まり込むことにより、溝部１５にノズル部７３を挿通させたチューブ容器７０の状態を安定させ易くなる。なお、突起部２５は、１個であっても、あるいは複数個であってもよい。更に、カップ部１３は、溝部１５の内壁面１９において、カップ部１３の厚さ方向と交わる方向に線状に伸びる線条突起部２５を有することがより好ましい。なお、線条突起部２５は、１本であっても、あるいは複数本であってもよい。線条突起部２５をノズル部７３のネジ溝に嵌まり込み易くする観点から、線条突起部２５の先端部が尖っている、または線条突起部２５の先端部が尖っていない場合には当該先端部の幅が３ｍｍ以下であることが好ましい。更に、線条突起部２５の先端部が尖っていない場合には当該先端部の幅が２ｍｍ以下であることがより好ましい。また、カップ部１３の厚みが溝部１５の縁部２０に向けて刃物の刃先のように漸減し、溝部１５の縁部２０の頂点のみが内壁面１９に相当する形態においては、当該溝部１５の縁部２０の頂点が「線条突起部２５」に該当することとする。
【００３８】
また、カップ容器３０のように、カップ部１３の外側面において溝部１５の下方で外側方向に拡がり、溝部１５にノズル部７３を挿通したチューブ容器７０を支持するための支持面２７を有することが好ましい。支持面２７を有する場合、支持面２７上にチューブ容器７０を載せることにより、溝部１５にノズル部７３を挿通させたチューブ容器７０の状態を安定させ易くなる。なお、カップ容器３０は、図５および図７に示されているように、カップ部１３の外側面において溝部１５の下方で立設された板状の支持部２８を有する。当該支持部２８の上面が支持面２７となっている。例えば、ここでは図示しないが、カップ部１３の壁厚を溝部１５の下方で肥厚させ、この肥厚させた部分の上面を支持面２７としてもよい。
【００３９】
また、内壁面１９の少なくとも一部および／または凹部２３の表面の少なくとも一部においてチューブ容器７０に付着する付着部を有することが好ましい。内壁面１９の少なくとも一部および／または凹部２３の表面の少なくとも一部が付着部を有する場合、溝部１５にノズル部７３を挿通させたチューブ容器７０の状態を安定させ易くなる。付着部の具体的な形態としては、吸盤（密着させるとノズル部７３の根元部分７４の表面等に吸着する部材）、粘着性の素材（例えば、粘着剤）、磁石のうちの少なくとも１種から構成されるものを挙げることができる。
【００４０】
さらに、図１９〜図２１に示されるようなカップ容器であることが好ましい。図１９〜図２１では、カップ容器の上端部に上方に突出した突出部が、相対する位置関係になるように２つ設けられている。更に、当該突出部のそれぞれに溝部１５，１５が１つずつ形成されている。当該相対する位置関係にある突出部１７，１７間にある上端部は、当該突出部が設けられている上端部が、最も高い位置となり、当該相対する位置関係にある一方の突出部１７と他方の突出部１７との間の中央に位置する上端部が最も低い位置となり、当該相対する位置関係にある突出部１７，１７間を、弧を描くように湾曲して形成されている。このように構成されることにより、２つのヘアカラー剤を調製する場合にも、一つのカップ容器で対応できる。更に、チューブ容器のノズル部をそれぞれの挿通部（溝部１５，１５）に挿通した状態にした際に、チューブ容器を含めて、カップ容器全体を安定して載置することができる。更に、広い開口部を形成できるだけでなく、当該開口部から中底までの空間を広く形成できる。そのため、１つのチューブ容器を絞る作業の際に、もう一方のチューブ容器から絞り出された溶剤が手に着く等の心配もなく、作業性が向上する。更に、当該カップ容器内での調製作業を向上させる。なお、上記では、挿通部が溝部である場合の例を示したが、以下で説明される挿通部が穴部である場合についても同様である。
【００４１】
更に、カップ容器は、側部が湾曲したお椀型形状をしていることが好ましい。このような形状を有することにより、更に安定した載置を可能とし、チューブ容器を絞りこむ際の作業性や、当該カップ容器内での調製作業を向上させる。なお、上記では、挿通部が溝部である場合の例を示したが、以下で説明される挿通部が穴部である場合についても同様である。
【００４２】
カップ部１３の材質としては、セラミック、金属、合成樹脂などを挙げることができる。合成樹脂としては、具体的には、ＰＥ（ポリエチレン）、ＰＰ（ポリプロピレン）、ＰＶＣ（ポリ塩化ビニル）、ＰＳ（ポリスチレン）、ＡＢＳ（アクリロニトリル−ブタジエン−スチレン共重合体）、ＡＳ（アクリロニトリル−スチレン共重合体）、ＰＭＭＡ（ポリメタクリル酸メチル）、ＰＥＴ（ポリエチレンテレフタレート）が好ましい。
【００４３】
２．カップ容器の第２態様：
図１０は、本発明の第２態様の一実施形態のカップ容器４０の模式的な斜視図である。カップ容器４０は、上面を開口したカップ部４３を備え、カップ部４３の側部にチューブ容器のノズル部を挿通させるためにカップ部４３を貫通した穴部４５を少なくとも１つ有する。
【００４４】
図１１は、カップ容器４０の一使用例を模式的に示す斜視図である。図示されているように、カップ容器４０を使用する際には、チューブ容器７０のノズル部７３を穴部４５に挿入した状態でチューブ容器７０を絞るとよい。チューブ容器７０の内容物（例えば、ヘアカラー剤）の残存量が少なくなると、当該内容物がチューブ容器７０のノズル部７３の根元部分７４にのみ溜まっている状態となる。当該根元部分７４に溜まっている内容物は、通常、絞り出しにくい。このような状態の場合でも、カップ容器４０によれば、チューブ容器７０のノズル部７３を穴部４５に挿入した状態でノズル部７３の根元部分７４を押すと、カップ部４３の外側面と根元部分７４とを圧着させて、根元部分７４に溜まっている内容物を絞り出すことが可能になる。すなわち、カップ容器４０によれば、チューブ容器７０の内容物を、無駄を少なく絞り出すことが可能になる。
【００４５】
なお、本実施形態のカップ容器では、「カップ部１３を貫通した挿通部３を少なくとも１つ有する」ものであるため、カップ部１３を貫通した穴部４５が１つであってもよいし、当該穴部４５が２つであってもよいし、３つ以上であってもよい。ただし、複数のヘアカラー剤成分を調製する場合にも、２つのヘアカラー剤を調製する場合が多いことから、穴部が２つ形成されることが好ましい。
【００４６】
また、図示しないが、本実施形態のカップ容器４０において、穴部４５は、カップ部４３の上端部側から下方に向けて穴の幅（穴の径）を連続的または断続的に狭めることが好ましい。このように穴部４５が穴の幅（穴の径）を狭めている場合、チューブ容器７０のノズル部７３をカップ部４３の上端部側から穴部４５に嵌め込み易くなる。
【００４７】
穴部４５は、カップ部４３の高さの２分の１以上の高さの位置に設けられているとよい。上述の位置に穴部４５が設けられている場合、チューブ容器７０を絞る作業が容易になる。なお、本明細書にいう「カップ部４３の高さ」とは、カップ容器４０を水平方向に拡がった平面に静置した時の、カップ容器４０を静置した前記平面からカップ部４３の上端部までの高さを意味する。
【００４８】
図１２は、図１０中のＥ−Ｅ’断面の一部の模式図である。図１３は、図１０中のＦ−Ｆ’断面の一部の模式図である。図示されているように、穴部４５は、カップ部４３の外側から内側に向けて下方に傾斜して貫通しているとよい。上述のように穴部４５が下方に傾斜して貫通している場合、チューブ容器７０のノズル部７３を穴部４５に挿入した時にノズル部７３の先端が下方に向くので、ノズル部７３からカップ部４３の底部に向けてチューブ容器７０の内容物を絞り出すことが可能になる。例えば、チューブ容器７０の内容物が２剤型のヘアカラー剤の場合、ヘアカラー剤をカップ部４３の底部に向けて絞り出すことができると、カップ部４３の底部において第１剤および第２剤のそれぞれを所望の量ずつで混ぜ合わせ易くなる。
【００４９】
なお、「穴部４５がカップ部４３の外側から内側に向けて下方に傾斜して貫通している」とは、カップ容器４０を水平な平面上を静置した時において、カップ部４３の外側から内側に向けた穴部４５の貫通方向が水平方向に対して０度超９０度未満の角度をなすことをいう。なお、穴部４５の貫通方向とは、穴部４５の穴の中心軸（断面における穴の重心の集合）の延びる方向のことを意味する。
【００５０】
図１４は、本発明の第２態様の他の実施形態のカップ容器６０の模式的な斜視図である。カップ容器６０は、カップ部４３の上端部の少なくとも一部分に、上方に突出した突出部４７を有し、突出部４７に穴部４５を有する。上述のように突出部４７に穴部４５を有する場合、突出部４７を手で摘まみながらチューブ容器７０の内容物を容易に絞り出すことが可能になる。
【００５１】
ここで、本実施形態のカップ容器では、上述した第１態様と同様に、「前記カップ部の上端部の少なくとも一部分に、上方に突出した突出部を有し」ていることから、上方に突出した突出部が、カップ部の上端部の少なくとも一部分に備えられていればよく、突出部は複数個所存在してもよい。
【００５２】
例えば、図１９〜図２１のカップ容器のように、カップ容器の上端部に少なくとも一部分に、上方に突出した突出部４７，４７が２つ設けられているものであってもよい。更に、当該突出部４７，４７は、カップ容器の側面からカップ容器を平面視すると、カップ容器の両端に分かれて存在する位置関係になるように形成されている。このように、当該両端の、謂わば、相対する位置関係に１つずつ突出部が形成され、それぞれの突出部に穴部４５，４５が形成されていることで、チューブ容器のノズル部をそれぞれの穴部４５，４５に挿通した状態にした際に、チューブ容器を含めて、カップ容器全体を安定して載置することができる。ただし、突出部が相対する位置関係に１つずつ形成されずに、相対しない位置に２つ形成され、当該突出部に穴部が形成されてもよい。安定的な載置という観点からは、相対する位置関係になるように形成されることが好ましいが、２剤型のヘアカラー剤を調製しやすい点から、相対する位置関係に１つずつ形成されない場合も好ましい。
【００５３】
突出部４７を手で摘まみ易くなる観点から、突出部４７の各所の厚さは、１〜４０ｍｍの範囲内であることが好ましく、更に、５〜２０ｍｍの範囲内であることがより好ましい。
【００５４】
図１５は、図１４中のＧ−Ｇ’断面の一部の模式図である。図１６は、図１４中のＨ−Ｈ’断面の一部の模式図である。図示されているように、カップ部４３は、突出部４７を有する場合、突出部４７の壁厚がカップ部４３の他の部分の壁厚よりも厚く且つ突出部４７が外側または内側に向けて肥厚していることが好ましい。上述のように突出部４７が外側または内側に向けて肥厚している場合、チューブ容器７０に大きな力を加えて内容物を絞り出し易くなる。
【００５５】
また、図１４〜図１６に示されているカップ容器６０のように、カップ部４３は、穴部４５の周辺部において、カップ部４３の外側面が穴部４５の縁部５０に向けて窪む凹部５１を有することが好ましい。特に、凹部５１の形状は、チューブ容器７０のノズル部７３の根元部分７４のテーパー形状と略相補的な関係となることがより好ましい。このような凹部５１を有する場合、凹部５１にノズル部７３の根元部分７４を圧着させて、穴部４５にノズル部７３を挿通させたチューブ容器７０の状態を安定させ易くなり、また、内容物を絞り出し易くなる。
【００５６】
凹部５１の形状については、凹部５１の幅Ｒが、外側から内側に向けて連続的または断続的に小さくなるような形状であることが好ましい（図１５〜図１８を参照）。このような形状の凹部５１である場合、チューブ容器７０のノズル部７３の根元部分７４と凹部５１の表面との接触面積が大きくなり、チューブ容器７０の内容物を絞り出し易くなる。本明細書にいう凹部５１の幅Ｒとは、カップ容器６０を水平方向に拡がった平面に静置した時のカップ容器６０の水平方向または鉛直方向に沿った断面において、対向する凹部５１の表面同士を水平方向または鉛直方向に沿って結んだ線分の長さとして定義される（図１５および図１６を参照）。例えば、図１５，１６では、凹部５１の幅Ｒは、当該凹部の最も外側の位置を示しているため、当該凹部の最も外側の位置における凹部５１の幅Ｒは、カップ容器６０を水平方向に拡がった平面に静置した時のカップ容器６０の水平方向または鉛直方向に沿った断面において、対向する凹部５１の表面同士を水平方向または鉛直方向に沿って結んだ線分の最大長さとなる。すなわち、当該凹部５１の最も外側の位置における凹部５１幅Ｒは、縁部５０における凹部５１の幅Ｒよりも幅広となる。なお、図１７および図１８は、本発明の第２態様の更に他の実施形態のカップ容器６０ａ，６０ｂの模式的な断面の一部拡大図である。なお、図１７および図１８は、カップ容器６０ａ，６０ｂを水平方向に拡がった平面に静置した時のカップ容器６０ａ，６０ｂの水平方向に沿った断面の模式図に該当する。更に、図１７，１８に示される縦幅Ｌについては、挿通部３が溝部１５である場合と同様であるため、挿通部３が溝部１５における縦幅Ｌの説明を参照されたい。
【００５７】
また、カップ容器６０のように、カップ部４３は、穴部４５の内壁面４９に突起部５３を有することが好ましい。通常のチューブ容器７０のノズル部７３には、キャップと螺合させるためのネジ溝が形成されている。穴部４５の内壁面４９に突起部５３を有する場合、突起部５３がノズル部７３のネジ溝に嵌まり込むことにより、穴部４５にノズル部７３を挿通させたチューブ容器７０の状態を安定させ易くなる。なお、突起部５３は、１個であっても、あるいは複数個であってもよい。更に、カップ部４３は、穴部４５の内壁面４９において、カップ部４３の厚さ方向と交わる方向に線状に伸びる線条突起部５３を有することがより好ましい。なお、線条突起部５３は、１本であっても、あるいは複数本であってもよい。線条突起部５３をノズル部７３のネジ溝に嵌まり込み易くする観点から、線条突起部５３の先端部が尖っている、または線条突起部５３の先端部が尖っていない場合には当該先端部の幅が３ｍｍ以下であることが好ましい。更に、線条突起部５３の先端部が尖っていない場合には当該先端部の幅が２ｍｍ以下であることがより好ましい。また、カップ部４３の厚みが穴部４５の縁部５０に向けて刃物の刃先のように漸減し、穴部４５の縁部５０の頂点のみが内壁面４９に相当する形態においては、当該穴部４５の縁部５０の頂点が「線条突起部５３」に該当することとする。
【００５８】
特に、突起部５３（線条突起部５３も含む）は、穴部４５の内壁面４９のうちで、少なくとも穴部４５の上部の内壁面４９に設けられていることが好ましい。チューブ容器７０のノズル部７３を穴部４５に挿入した場合、チューブ容器７０の胴部７５は重みで下方に振れ、この動きに伴って、ノズル部７３が上方に振れる。そのため、ノズル部７３は、穴部４５の穴の幅が大きな場合であっても、少なくとも穴部４５の上部の内壁面４９に接触することになる。ここで、上述のように、突起部５３が穴部４５の上部の内壁面４９に設けられていると、穴部４５の上部の内壁面４９における突起部５３がノズル部７３のネジ溝に嵌まり込む。すなわち、穴部４５の穴の幅が大きく且つ突起部５３が穴部４５の上部の内壁面４９に設けられている場合には、穴部４５に挿通し得る範囲であらゆる外径のノズル部７３を用いても、穴部４５の上部の突起部５３にノズル部７３のネジ溝を嵌め込むことが可能になる。よって、突起部５３が穴部４５の上部の内壁面４９に設けられている場合には、ノズル部７３の外径の異なった複数のチューブ容器７０のそれぞれに使用しても、ノズル部７３の外径に関わらず、各チューブ容器７０の状態を安定させることが容易になる。
【００５９】
また、カップ容器６０のように、カップ部４３の外側面において穴部４５の下方で外側方向に拡がり、穴部４５にノズル部７３を挿通したチューブ容器７０を支持するための支持面５５を有することが好ましい。支持面５５を有する場合、支持面５５上にチューブ容器７０を載せることにより、穴部４５にノズル部７３を挿通させたチューブ容器７０の状態を安定させ易くなる。なお、カップ容器６０は、カップ部４３の外側面において穴部４５の下方で立設された板状の支持部５７を有する。当該支持部５７の上面が支持面５５となっている。例えば、ここでは図示しないが、カップ部４３の壁厚を穴部４５の下方で肥厚させ、この肥厚させた部分の上面を支持面５５としてもよい。
【００６０】
また、内壁面４９の少なくとも一部および／または凹部５１の表面の少なくとも一部においてチューブ容器７０に付着する付着部を有することが好ましい。内壁面４９の少なくとも一部および／または凹部５１の表面の少なくとも一部が付着部を有する場合、穴部４５にノズル部７３を挿通させたチューブ容器７０の状態を安定させ易くなる。付着部の具体的な形態としては、吸盤（密着させるとノズル部７３の根元部分７４の表面等に吸着する部材）、粘着性の素材（例えば、粘着剤）、磁石のうちの少なくとも１種から構成されるものを挙げることができる。
【００６１】
カップ部４３の材質としては、セラミック、金属、合成樹脂などを挙げることができる。合成樹脂としては、具体的には、ＰＥ（ポリエチレン）、ＰＰ（ポリプロピレン）、ＰＶＣ（ポリ塩化ビニル）、ＰＳ（ポリスチレン）、ＡＢＳ（アクリロニトリル−ブタジエン−スチレン共重合体）、ＡＳ（アクリロニトリル−スチレン共重合体）、ＰＭＭＡ（ポリメタクリル酸メチル）、ＰＥＴ（ポリエチレンテレフタレート）が好ましい。
【産業上の利用可能性】
【００６２】
本発明は、カップ容器として利用できる。例えば、チューブ容器に入ったヘアカラー剤を絞り出し、当該ヘアカラー剤を頭髪への塗布用に調整するためのヘアカラー剤用カップ容器として利用できる。
【符号の説明】
【００６３】
３：挿通部、１０：カップ容器、１３：カップ部、１５：溝部、１７：突出部、１９：（溝部の）内壁面、２０：（溝部の）縁部、２１：（溝部の）底部、２３：凹部、２５：（線条）突起部、２７：支持面、２８：支持部、３０，３０ａ，３０ｂ：カップ容器、４０：カップ容器、４３：カップ部、４５：穴部、４７：突出部、４９：（穴部の）内壁面、５０：（穴部の）縁部、５１：凹部、５３：（線条）突起部、５５：支持面、５７：支持部、６０，６０ａ，６０ｂ：カップ容器、７０：チューブ容器、７３：ノズル部、７４：（ノズル部の）根元部分、７５：（チューブ容器の）胴部、８０：カップ容器。
【図１】
2015134158.tif 000003
【図２】
2015134158.tif 000004
【図３】
2015134158.tif 000005
【図４】
2015134158.tif 000006
【図５】
2015134158.tif 000007
【図６】
2015134158.tif 000008
【図７】
2015134158.tif 000009
【図８】
2015134158.tif 000010
【図９】
2015134158.tif 000011
【図１０】
2015134158.tif 000012
【図１１】
2015134158.tif 000013
【図１２】
2015134158.tif 000014
【図１３】
2015134158.tif 000015
【図１４】
2015134158.tif 000016
【図１５】
2015134158.tif 000017
【図１６】
2015134158.tif 000018
【図１７】
2015134158.tif 000019
【図１８】
2015134158.tif 000020
【図１９】
2015134158.tif 000021
【図２０】
2015134158.tif 000022
【図２１】
2015134158.tif 000023